(57)【要約】【課題】売上商品に対して自動的に割引を適用することにより、割引操作における注文を受ける人の操作の負担を軽減し、注文処理を迅速に行える電子式キャッシュレジスタを提供する。【解決手段】売上商品に関する商品情報は入力手段１２から入力され、データメモリ１４に登録される。データメモリ１４には、商品種類や売上個数などの割引条件を設定する割引テーブルが予め格納されている。割引適用キーが押されると、ＣＰＵ１１は、登録された商品情報に対して割引テーブルを検索し自動的に割引を適用する。【選択図】　図１
2004145822.tif 000002
【特許請求の範囲】
【請求項１】
入力手段により登録された売上商品の商品情報を記憶する第１の記憶手段と、商品の割引条件情報が予め記憶された第２の記憶手段と、前記第１の記憶手段に記憶された前記商品情報に対して前記第２の記憶手段に記憶されている前記割引条件情報を検索し前記売上商品に割引を適用する処理手段とを具備し、前記第２の記憶手段には同一の商品に対して複数の割引条件情報が記憶されており、前記処理手段は前記売上商品が複数の割引条件を満たしている場合、割引率の高い割引条件を適用することを特徴とする電子式キャッシュレジスタ。
【請求項２】
売上商品が割引適用済であることを記憶する第３の記憶手段を具備し、前記第２の記憶手段には同一の商品に対して複数の割引条件情報が記憶されており、前記処理手段は前記売上商品が割引適用済である場合には割引検索から除くことを特徴とする請求項１記載の電子式キャッシュレジスタ。
【請求項３】
入力手段により登録された売上商品に関する商品情報を記憶する第１の記憶手段と、割引適用個数を含む商品の割引条件情報が予め記憶された第２の記憶手段と、商品の割引適用個数を表示する表示手段と、前記第１の記憶手段に記憶された商品情報に対して前記第２の記憶手段に記憶されている割引条件情報を検索し前記売上商品の登録毎に割引対象商品か否かを判別し、割引対象商品である場合は前記表示手段に表示されている割引適用個数をデクリメントする処理手段とを具備することを特徴とする電子式キャッシュレジスタ。
【請求項４】
電子式キャッシュレジスタの入力手段により登録された売上商品に割引を適用するときに、予め商品の割引条件情報を記憶手段に記憶しておき、前記入力手段から前記売上商品の商品情報が入力されたときに、前記記憶手段に記憶されている割引条件情報を検索し割引を適用することを特徴とする電子式キャッシュレジスタの売上管理方法。
【請求項５】
電子式キャッシュレジスタの入力手段により登録された売上商品に割引を適用する処理を実行するプログラムであって、前記入力手段により登録された売上商品に関する情報を取り出すステップと、前記売上商品に関する情報に対して予め記憶されている商品の割引情報を検索し前記売上商品に割引を適用するステップとを具備することを特徴とするプログラム。
【発明の詳細な説明】
【０００１】
【発明の属する技術分野】
本発明は、レストランなどで利用されている、電子式キャッシュレジスタに関し、特に、商品種類や売上個数などの複数の割引条件が設けられているときに、割引操作を簡便にすることで操作誤りを防止し、なおかつ商品を購入した客にとって一番条件の良い割引を自動的に適用できるようにした電子式キャッシュレジスタに関するものである。
【０００２】
【従来の技術】
電子式キャッシュレジスタはＰＯＳターミナル装置として使用されており、例えば特許文献１には割引を適用する機能を備えたＰＯＳターミナル装置が開示されている。
【０００３】
このような割引サービスを適用する機能を備えた従来の電子式キャッシュレジスタの一例を図１２に示す。この電子式キャッシュレジスタは、表示や入出力の制御を行うＣＰＵ１２１と、顧客から注文を受けた商品の登録等を行う入力手段１２２と、入力手段１２２の入力制御や表示制御が記憶されたプログラムメモリ１２３と、商品情報や割引条件情報を定義した割引テーブルが予め記憶されたデータメモリ１２４と、表示手段１２５と、表示手段１２５で表示される表示データを記憶する表示メモリ１２６と、他の電子式キャッシュレジスタ（図示せず）と通信を行うための通信回路１２７とを備えている。
【０００４】
電子式キャッシュレジスタの入力手段１２２には、例えば図１３に示すようにメニューに合わせてキーが設定されており、ハンバーガー、コーヒー等のメニューキー１３１と、登録された商品内容を確認し割引を適用させる割引キー１３２と、金額等を入力する数字キー１３３と、売上の小計を表示する小計キー１３４と、売上の合計や釣り銭計算を行う合計キー１３５とを備えている。また、図１５に示すような割引テーブルを具備し、例えば割引１はハンバーガー、ポテト、コーヒーの組合せで２００円を割り引き、割引２はチキン２個と辛口チキン１個とで１５０円を割り引く設定を有している。そして、例えば図１４に示すように、ハンバーガー１個、ポテト１個、コーヒー１つ、チキン２個、辛口チキン１個が売り上げられたとき、ハンバーガーキー１３１、ポテトキー１３１、コーヒーキー１３１、チキンキー１３１、辛口チキンキー１３１を順に押してそれらの商品を登録し、さらに登録した商品の内容を確認し、ハンバーガー、ポテト、およびコーヒーの組合せが割引１に該当し、チキン２個と辛口チキン１個との組合せが割引２に該当することを確認した後に割引１キー１３２および割引２キー１３２を押して割引を適用した後に小計キー１３４を押し、客に小計金額を知らせ、現金１，０００円を受け取り、合計キー１３５を押し、会計処理を終了する。なお、チキン２個を登録する際、チキンキー１３１を２回押すか、またはチキンキー１３１を押した後で数字“２”の数字キー１３３を押すが、便宜上、図示を省略した。
【０００５】
【特許文献１】
特許第３０２２０５３号公報
【０００６】
【発明が解決しようとする課題】
しかしながら、従来の電子式キャッシュレジスタでは、注文を受けた人が登録した商品の内容を確認して割引を適用していたことから、登録した商品種類および売上個数の確認に時間がかかる問題や、操作誤りを発生させる問題があり、操作処理を低下させていた。また、同一商品が複数の割引条件に含まれている場合、どちらの割引条件を適用するかを注文を受けている人間が行う必要があり、例えば大量の注文を受けたときに条件の良い割引を適用することが困難であるという問題があった。
【０００７】
本発明は、このような問題点を解決するものであり、売上商品の内容を確認することなしに、登録した商品を割引テーブルに記憶されている割引条件から一回のキー操作で検索し、自動的に割引を適用させることにより、注文を受ける人への割引操作における操作の負担を軽減し、注文処理を迅速に行え、なおかつ商品を買い上げた客に一番条件の良い割引を適用することができる電子式キャッシュレジスタを提供することを目的としている。
【０００８】
【課題を解決するための手段】
本発明に係る第１の電子式キャッシュレジスタは、入力手段により登録された売上商品の商品情報を記憶する第１の記憶手段と、商品の割引条件情報が予め記憶された第２の記憶手段と、前記第１の記憶手段に記憶された前記商品情報に対して前記第２の記憶手段に記憶されている前記割引条件情報を検索し前記売上商品に割引を適用する処理手段とを具備し、前記第２の記憶手段には同一の商品に対して複数の割引条件情報が記憶されており、前記処理手段は前記売上商品が複数の割引条件を満たしている場合、割引率の高い割引条件を適用することを特徴とする。この構成により、売上商品が複数の割引条件を満たしている場合、一番条件の良い割引を自動的に適用することができる。
【０００９】
また、本発明に係る第２の電子式キャッシュレジスタは、前記本発明に係る第１の電子式キャッシュレジスタにおいて、売上商品が割引適用済であることを記憶する第３の記憶手段を具備し、前記第２の記憶手段には同一の商品に対して複数の割引条件情報が記憶されており、前記処理手段は前記売上商品が割引適用済である場合には割引検索から除くことを特徴とする。この構成により、全ての売上商品に対して、割引条件を満たす複数の割引を適用することができる。
【００１０】
さらに、本発明に係る第３の電子式キャッシュレジスタは、入力手段により登録された売上商品に関する商品情報を記憶する第１の記憶手段と、割引適用個数を含む商品の割引条件情報が予め記憶された第２の記憶手段と、商品の割引適用個数を表示する表示手段と、前記第１の記憶手段に記憶された商品情報に対して前記第２の記憶手段に記憶されている割引条件情報を検索し前記売上商品の登録毎に割引対象商品か否かを判別し、割引対象商品である場合は前記表示手段に表示されている割引適用個数をデクリメントする処理手段とを具備することを特徴とする。この構成により、割引適用までに必要な割引対象商品の登録数を表示し、注文を受ける人へ知らせることができる。
【００１１】
【発明の実施の形態】
以下、本発明の実施の形態について、図面を用いて説明する。
【００１２】
（第１の実施の形態）
図１は本発明の第１の実施の形態の電子式キャッシュレジスタであるＰＯＳターミナル装置の構成図である。
【００１３】
この電子式キャッシュレジスタは、互いにバスで接続されたＣＰＵ１１、入力手段２　、プログラムメモリ１３、データメモリ１４、表示手段１５、表示メモリ１６、および通信回路１７を具備している。
【００１４】
ＣＰＵ１１はＰＯＳターミナル装置全体の制御を行うものであり、入力手段１２は商品の登録、レポート発行、設定等を行うための入力装置である。プログラムメモリ１３にはＰＯＳターミナル装置の動作プログラムが予め格納されている。データメモリ１４には設定データやプログラムメモリ１３に格納されているプログラムを動作させるために必要なデータが記憶される。表示手段１５はＣＰＵ１１がシステムバスを介して創出する情報を表示するものであり、ＰＯＳターミナル装置の運用における表示全般を司る。表示メモリ１６は表示手段１５により表示されるデータを記憶している。通信回路１７は他のＰＯＳターミナル装置（図示せず）などへのデータ転送などで使用される。
【００１５】
図２は登録された商品情報が記憶されるオーダーテーブルの例である。オーダーテーブルは図１のデータメモリ１４上に記憶され、商品が登録される度に登録された商品情報がオーダーテーブル上に記憶される。オーダーテーブルに記憶される情報は、登録された順番を示すアイテム番号２１、商品名２２、商品の売上個数２３、商品の金額２４、および既に割引対象であるか否かを示す割引対象フラグ２５である。
【００１６】
図３は商品種類や売上個数などの割引条件を設定する割引テーブルの例である。割引テーブルは図１のデータメモリ１４上に予め設定される。割引テーブルで記憶する情報は、割引の種類を示す割引番号３１、割引が適用される条件である売上個数３２、割引が適用される条件である商品種類３３、そして割引適用時の価格３４である。
【００１７】
図４は、入力手段１２によって割引適用キーが押されたときに割引を自動適用する処理の概略ルーチンを示している。
【００１８】
割引適用キーが押されたときに、図２に示すオーダーテーブルのアイテム番号２１の初期値ｍに、オーダーの最初のアイテムをセットするため、“１”をセットする（ステップＡ１）。また、同時にステップＡ１では、図３に示す割引テーブルの割引テーブル番号３１の初期値ｎに“１”をセットする。次に、ステップＡ１でセットされたオーダーテーブルのアイテム“１”を取り出し（ステップＡ２）、ステップＡ１でセットされた割引テーブル“１”を参照する（ステップＡ３）。そして、アイテム“１”が割引対象のアイテムであるか否か判定する（ステップＡ４）。ステップＡ４にてアイテム“１”が割引対象であると判定した場合、割引対象個数のカウンタを“１”インクリメントする（ステップＡ５）。これは図３の割引条件個数３２と比較するものである。そして、次に割引が成立したか否かを判定し（ステップＡ６）、割引が成立した場合は割引を適用する（ステップＡ７）。
【００１９】
ステップＡ４にて、アイテム“１”が割引対象でないと判定した場合、アイテム番号を“１”インクリメントすることで（ステップＡ１１）、オーダーテーブル内の次のアイテムについての判定を行う。また、ステップＡ６にて割引が成立しない場合も、アイテム番号を“１”インクリメントすることで（ステップＡ１１）、オーダーテーブル内の次のアイテムについての判定を行う。次に、オーダーテーブル内のアイテムが最後のアイテムか否かを判定し（ステップＡ８）、最後のアイテムでない場合は割引対象か否かの判定をステップＡ２に戻り、割引対象か否かの判定を繰り返す。
【００２０】
ステップＡ８で最後のアイテムであると判定した場合は、割引テーブル番号を“１”インクリメントし（ステップＡ９）、次の割引テーブルの判定へ処理を移行する。次いで、割引テーブルが最後の割引テーブルか否かを判定する（ステップＡ１０）。そして、最後の割引テーブルでないと判定した場合はステップＡ２へ戻って次の割引テーブルの検索を続け、最後の割引テーブルであると判定した場合は割引検索処理を終了する（ステップＡ１２）。
【００２１】
このように、本発明の第１の実施の形態の電子式キャッシュレジスタによれば、登録された商品の内容を確認することなしに、その商品を割引テーブルに記憶されている割引条件から一回のキー操作で検索し、自動的に割引を適用することにより、割引操作における操作の注文を受ける人の負担を軽減し、注文処理を迅速に行えるので、割引処理を必要とする注文処理のスピードを向上させることができる。
【００２２】
（第２の実施の形態）
本発明の第２の実施の形態の電子式キャッシュレジスタでは、一つの商品に対しに複数の割引条件が設定されている場合、割引の種類を比較して条件の良い割引を判定し適用する。
【００２３】
本発明の第２の実施の形態の電子式キャッシュレジスタの構成は図１と同じである。また、オーダーテーブルの例および割引テーブルの例も図２および図３と同じである。
【００２４】
図５は、本発明の第２の実施の形態の電子式キャッシュレジスタの入力手段によって割引適用キーが押されたときに割引が自動適用される処理の概略ルーチンを示している。
【００２５】
まず、図２に示すオーダーテーブルのアイテム番号２１の初期値ｍに“１”をセットするとともに、図３に示す割引テーブルの割引テーブル番号３１の初期値ｎに“１”をセットする（ステップＢ１）。次に、オーダーテーブルを取り出し（ステップＢ２）、比較する割引テーブルを参照し（ステップＢ３）、商品が割引対象であるか否かを判定する（ステップＢ４）。ステップＢ４にて割引対象であると判定した場合は、割引対象カウンタを“１”インクリメントする（ステップＢ５）。これは図３の割引条件個数３２と比較するものである。次に、割引条件である売上個数と割引対象カウンタとを比較し、割引が成立するか否か判定する（ステップＢ６）。そして、割引が成立した場合は、割引情報を適用割引情報テーブルに記憶する（ステップＢ７）。図６は適用割引情報テーブルの構成例である。このテーブルが持つ情報は、テーブル番号６１、適用された割引テーブル番号６２、および割引テーブルに定められた割引適用価格６３である。
【００２６】
ステップＢ４にて商品が割引対象でないと判定した場合、およびステップＢ６にて割引が成立しなかった場合は、いずれもアイテム番号を“１”インクリメントしてオーダーテーブル内の次アイテムに移行し（ステップＢ１１）、オーダーテーブル内の最後のアイテムか否かを判定する（ステップＢ１２）。判定の結果、最後のアイテムでなかった場合はステップＢ２に戻り、割引対象か否かの判定を繰り返す。最後のアイテムであった場合は割引テーブル番号を“１”インクリメントして次の割引テーブルを設定し、アイテム番号を“１”に設定した後（ステップＢ１３）、ステップＢ２に戻り、割引対象か否かの判定を繰り返す。
【００２７】
ステップＢ８では最後の割引テーブルであるか否かを確認する。そして、最後の割引テーブルでなかった場合は、次の割引テーブルを設定した後（ステップＢ１３）、ステップＢ２に戻り、割引対象か否かの判定を繰り返す。最後の割引テーブルであった場合は、適用割引情報比較ルーチン処理により条件の良い割引テーブルを算出し（ステップＢ９）、割引を適用する（ステップＢ１０）。
【００２８】
図７は適用割引情報比較ルーチン処理の一例である。まず、図６に示した適用割引情報テーブルから番号を変数Ｍにセットするとともに、Ｍを“１”に設定する（ステップＣ１）。次に変数ＮにＭ＋１の値をセットする（ステップＣ２）。そして、ステップＣ１、ステップＣ２でセットしたテーブル番号にリンクする割引金額を比較する（ステップＣ３）。比較の結果、Ｍ＜Ｎの場合はＮの値を“１”インクリメントする（ステップＣ４）。比較の結果、Ｍ＞Ｎの場合はＮにＭの値をセットし（ステップＣ７）、Ｍの値を“１”インクリメントする（ステップＣ８）。ステップＣ５では適用割引テーブルが最後であるか否かを判定し、最後であると判定した場合はＮが最終的に条件の良い割引率であるので、その値をもって割引を適用する（ステップＣ６）。ステップＣ５でＮがテーブルの最後でないと判定した場合は、再びステップＣ３に戻って判定を行う。
【００２９】
本発明の第１の実施の形態では、一つのキー操作を行ったときに複数の割引テーブルの中から、オーダーテーブル内の売上商品を検索して割引を自動的に適用していたが、本発明の第２の実施の形態では、特に複数の割引テーブルに同一商品が割引条件として設定されているような場合、その一つの商品を含んだ割引の種類の中から最も良い条件の割引を商品を注文した客に適用することができる。
【００３０】
（第３の実施の形態）
本発明の第３の実施の形態の電子式キャッシュレジスタでは、アイテムが割引対象済みであるか否かの判定手順を設けることで、オーダー内のアイテムに複数の割引を自動的に適用可能にした。
【００３１】
本発明の第３の実施の形態の電子式キャッシュレジスタの構成は図１と同じである。また、オーダーテーブルの例および割引テーブルの例も図２および図３と同じである。
【００３２】
図８は、入力手段によって割引適用キーが押されたときに割引が自動適用される処理の概略ルーチンを示している。
【００３３】
割引適用キーが押されたときに、図２に示したオーダーテーブルのアイテム番号２１の初期値ｍに、オーダーの最初のアイテムをセットするため“１”をセットする（ステップＤ１）。また、同時にステップＤ１では、図３に示した割引テーブルの割引テーブル番号３１の初期値ｎに“１”をセットする。次に、ステップＤ１でセットされたオーダーテーブルのアイテム“１”を取り出し（ステップＤ２）、ステップＤ１でセットされた割引テーブル１を参照する（ステップＤ３）。そして、アイテム“１”が割引対象のアイテムであるか否か判定する（ステップＤ４）。
【００３４】
ステップＤ４にてアイテム“１”が割引対象であると判定した場合、図２のオーダーテーブル内の割引対象フラグ２５をオン（割引対象済）にし（ステップＤ５）、割引対象個数のカウンタを“１”インクリメントする（ステップＤ６）。これは図３の割引条件個数３２と比較するものである。次に、割引が成立したか否かを判定し（ステップＤ７）、割引が成立した場合は割引を適用した後（ステップＤ８）、ステップＤ１の処理へ戻り、オーダー内の既に割引対象となったアイテム以外のアイテムに対して再び割引テーブルの検索を行い、条件が一致すれば割引の適用を行う。
【００３５】
ステップＤ４にてアイテム“１”が割引対象でないと判定した場合、オーダーテーブル内のアイテム番号を“１”インクリメントすることで（ステップＤ１１）、次のアイテムに移行する。また、ステップＤ７にて割引が成立しなかった場合もオーダーテーブル内のアイテム番号を“１”インクリメントすることで（ステップＤ１１）、次のアイテムに移行する。そして、次のステップＤ１０において、アイテムが割引対象になっているか否かを確認し、すでに割引対象である場合はステップＤ１１に戻り、再度次のアイテムへ移行する処理を行う。
【００３６】
ステップＤ１０における判定の結果、アイテムが割引対象になっていなかった場合は、オーダーテーブル内のアイテムが最後のアイテムか否かを判定する（ステップＤ９）。そして、最後のアイテムでない場合は割引対象か否かの判定をステップＤ２に戻り行う。
【００３７】
ステップＤ９でオーダーテーブル内の最後のアイテムであると判定した場合は、割引テーブル番号をインクリメントし（ステップＤ１３）、次の割引テーブルの判定へ処理を移行する。次に、割引テーブルが最後の割引テーブルか否かを判定する（ステップＤ１２）。そして、最後の割引テーブルでないと判定した場合はステップＤ２へ戻って次の割引テーブルの検索を続け、最後の割引テーブルであると判定した場合は割引検索処理を終了する（ステップＤ１４）。
【００３８】
このように、本発明の第３の実施の形態によれば、割引適用済みのアイテムを判別し割引検索から除くことにより、すべての売上商品に対して割引条件を満たした複数の割引を適用することが可能になり、特に多種多様の商品の注文に対して複数の割引を自動的に適用することができる。
【００３９】
（第４の実施の形態）
本発明の第４の実施の形態の電子式キャッシュレジスタでは、割引対象商品を登録する手順と、登録された商品が割引対象商品か否かを判別する手順と、割引対象商品が登録される毎に割引適用までに必要な割引対象商品の登録数を表示する手順とを設けることにより、割引適用までに必要な残り登録個数を表示する。
【００４０】
本発明の第４の実施の形態の電子式キャッシュレジスタの構成は図１と同じである。また、オーダーテーブルの例および割引テーブルの例も図２および図３と同じである。
【００４１】
図９は、割引対象の商品と割引が適用されるために必要なそれらの商品の売上個数をあらかじめ登録するテーブルの例である。図９に示すように、テーブルは割引対象個数９１、および売上登録で割引対象となる商品９２の情報を有する。
【００４２】
図１０は、割引対象商品が登録されたときに、割引対象となるまでに必要な商品の登録数を表示するまでの表示ルーチンの例である。まず、図９の割引対象テーブルで登録されている割引対象個数の値（図９では“１２”）をｎへセットする（ステップＥ１）。次に、図２に示したオーダーテーブルからアイテムの登録を行い（ステップＥ２）、その次に、登録されアイテムが図９の割引対象テーブルに登録されているか否かを検索する（ステップＥ３）。
【００４３】
ステップＥ２で登録されたアイテムが図９の割引対象テーブルに登録されていない場合は、ステップＥ２へ戻り、次アイテム登録の処理へ移行する。登録されたアイテム図９の割引対象テーブルに登録されている場合、表示個数をデクリメントしてｎへセットし（ステップＥ４）、割引適用までに必要な売上個数を表示手段１５へ表示する（ステップＥ５）。図１１は表示手段１５により表示された割引適用までに必要な売上個数である。
【００４４】
次に、表示個数が０であるか否かを判定する（ステップＥ６）。そして、“０”でないと判定した場合はステップＥ２の次アイテム登録処理へ移行し、“０”であると判定した場合はステップＥ１へ戻り、初期値をセットする。
【００４５】
このように、本発明の第４の実施の形態によれば、割引適用までに必要な残り登録個数を表示することで、レジの取り扱い者は容易に割引までに必要な商品の登録個数を知ることができ、注文する人へ適切な助言を伝えることができる。また、注文する人が助言を受け入れた場合は売上個数の増加に寄与することができる。
【００４６】
【発明の効果】
以上の説明から明らかなように、本発明の電子式キャッシュレジスタでは、入力手段により登録された売上商品の商品情報を記憶する第１の記憶手段と、商品の割引条件情報が予め記憶された第２の記憶手段と、前記第１の記憶手段に記憶された前記商品情報に対して前記第２の記憶手段に記憶されている前記割引条件情報を検索し前記売上商品に割引を適用する処理手段とを具備し、前記第２の記憶手段には同一の商品に対して複数の割引条件情報が記憶されており、前記処理手段は前記売上商品が複数の割引条件を満たしている場合、割引率の高い割引条件を適用することにより、売上商品が複数の割引条件を満たしている場合、売上商品の割引条件を気にすることなく、一番条件の良い割引を自動的に適用することができ、割引処理を含んだ注文処理のスピードを向上させることができる。
【図面の簡単な説明】
【図１】本発明の第１の実施の形態の電子式キャッシュレジスタのブロック図、
【図２】本発明の第１の実施の形態におけるオーダーテーブルの例を示す図、
【図３】本発明の第１の実施の形態における割引テーブルの例を示す図、
【図４】本発明の第１の実施の形態における割引適用ルーチンを示す図、
【図５】本発明の第２の実施の形態における適用割引情報テーブルの例を示す図、
【図６】第２の実施の形態における適用割引情報比較ルーチンの例を示す図、
【図７】本発明の第２の実施の形態における割引適用ルーチンの例を示す図、
【図８】本発明の第３の実施の形態における割引適用ルーチンの例を示す図、
【図９】本発明の第４の実施の形態における割引対象テーブルの例を示す図、
【図１０】本発明の第４の実施の形態における割引適用個数の表示ルーチンの例を示す図、
【図１１】本発明の第４の実施の形態における画面表示例を示す図、
【図１２】従来の電子式キャッシュレジスタの内部構成例を示す図、
【図１３】従来の電子式キャッシュレジスタにおける入力手段の例を示す図、
【図１４】従来の電子式キャッシュレジスタにおけるキー操作例を示す図、
【図１５】従来の従来の電子式キャッシュレジスタにおける割引キーテーブルの例を示す図である。
【符号の説明】
１１　ＣＰＵ
１２　入力手段
１３　プログラムメモリ
１４　データメモリ
１５　表示手段
１６　表示メモリ
１７　通信回路
【図１】
2004145822.tif 000003
【図２】
2004145822.tif 000004
【図３】
2004145822.tif 000005
【図４】
2004145822.tif 000006
【図５】
2004145822.tif 000007
【図６】
2004145822.tif 000008
【図７】
2004145822.tif 000009
【図８】
2004145822.tif 000010
【図９】
2004145822.tif 000011
【図１０】
2004145822.tif 000012
【図１１】
2004145822.tif 000013
【図１２】
2004145822.tif 000014
【図１３】
2004145822.tif 000015
【図１４】
2004145822.tif 000016
【図１５】
2004145822.tif 000017